(57)【要約】      （修正有）【課題】三極部を構成する各グリッド電極の相対的位置精度を向上させて、フォーカス特性やランディング性能を向上させた陰極線管、陰極線管用電子銃及び電子銃の組立方法を提供する。【解決手段】第２グリッド電極Ｇ２を、夫々電子ビーム通過孔２２，２５を有する板状及びカップ状のグリッド電極部材２４，２６で構成し、このカップ状のグリッド電極部材２６をカップ状の第３グリッド電極Ｇ３と重なるように組立装置に装着し、その後にスペーサ３２ｄを介して板状のグリッド電極部材２４を装着して絶縁支持体２１によって各グリッド電極Ｇ１〜Ｇ６を一体化する。そして、スペーサ３２ｄを除去した後に、カップ状のグリッド電極部材２６を板状のグリッド電極部材２４側に移動させて両者を溶着させることにより、第２グリッド電極Ｇ２を構成する。【選択図】  図１
2004259620.tif 000002
【特許請求の範囲】
【請求項１】
略矩形状のフェースパネルと、
このフェースパネルに連接する漏斗状のファンネルと、
前記フェースパネル内面に形成された蛍光体スクリーンと、
前記ファンネルのネック内に配置され電子ビームを形成及び前記蛍光体スクリーン上に集束させる少なくとも第１乃至第３グリッド電極からなる三極部を含む複数のグリッド電極を備えた電子銃とを有する陰極線管において、
前記三極部を構成する第２及び第３グリッド電極をカップ状の電極として構成し、この第２グリッド電極を電子ビーム通過孔を有する板状のグリッド電極部材及びカップ状のグリッド電極部材にて構成し、このカップ状のグリッド電極部材の開口部側が第３グリッド電極側に位置するように両グリッド電極部材同士を固着したことを特徴とする陰極線管。
【請求項２】
前記第３グリッド電極のカップ部先端を前記第２グリッド電極のカップ状のグリッド電極部材内に位置させたことを特徴とする請求項１記載の陰極線管。
【請求項３】
第１乃至第３グリッド電極からなる三極部を含む複数のグリッド電極の植設部を対向する一対のガラス材によって形成された長方形状の絶縁支持体に埋設することによって支持した陰極線管用電子銃において、
前記第２グリッド電極を電子ビーム通過孔及び植設部を有する板状のグリッド電極部材とカップ状のグリッド電極部材にて構成し、このカップ状のグリッド電極部材の開口部側が前記第３グリッド電極側に位置するように両グリッド電極部材同士を固着したことを特徴とする陰極線管用電子銃。
【請求項４】
前記第３グリッド電極をカップ状の電極として構成し、このカップ部先端を前記第２グリッド電極のカップ状のグリッド電極部材内に位置させたことを特徴とする請求項３記載の陰極線管用電子銃。
【請求項５】
基台に植設された複数の位置決め芯棒を備える電子銃組立装置の前記位置決め芯棒に少なくとも第１乃至第３グリッド電極からなる三極部を含む植設部を有する複数のグリッド電極の電子ビーム通過孔を挿通させるとともに、このグリッド電極間に複数のスペーサを介在させて順次グリッド電極とスペーサとを積層して装着し、前記グリッド電極の植設部を加熱軟化された一対の絶縁支持体に埋設固定して一体化した後に、前記電子銃組立装置から離脱させてスペーサを抜き取ることにより電子銃を製造する電子銃の組立方法において、
前記三極部を構成する第２グリッド電極を相互に分離された植設部及び電子ビーム通過孔を有する板状のグリッド電極部材とカップ状のグリッド電極部材から構成し、この両グリッド電極部材間にスペーサを配置して板状のグリッド電極部材の植設部を絶縁支持体に埋設し、前記スペーサを除去した後にカップ状のグリッド電極部材を板状の電極部材側に移動させて両グリッド電極部材同士を固着させたことを特徴とする電子銃の組立方法。
【請求項６】
前記カップ状のグリッド電極部材をカップ状の第３グリッド電極上に積層させ、この積層されたカップ状のグリッド電極部材と板状のグリッド電極部材間にスペーサを介在させたことを特徴とする請求項５記載の電子銃の組立方法。
【請求項７】
前記カップ状のグリッド電極部材の電子ビーム通過孔を前記第３グリッド電極のカップ部が挿入し得る大きさに形成し、この第３グリッド電極のカップ部にカップ状のグリッド電極部材を嵌合させ、前記第３グリッド電極と板状のグリッド電極部材間にスペーサを介在させたことを特徴とする請求項５記載の電子銃の組立方法。
【請求項８】
前記板状のグリッド電極部材に前記カップ状のグリッド電極部材方向に突設され前記カップ状のグリッド電極部材に設けた電子ビーム通過孔と嵌合するガイド部を形成し、スペーサを除去した後にカップ状のグリッド電極部材をこのガイド部に嵌合させて両グリッド電極部材同士を固着したことを特徴とする請求項７記載の電子銃の組立方法。
【発明の詳細な説明】
【０００１】
【発明の属する技術分野】
本発明は、電子銃の三極部を構成する第２グリッド電極を分離された板状のグリッド電極部材とカップ状のグリッド電極部材から構成し、複数のグリッド電極を絶縁支持体にて一体化した後に、これらグリッド電極部材を固着して第２グリッド電極とした陰極線管、陰極線管用電子銃及び電子銃の組立方法に関する。
【０００２】
【従来の技術】
現在、一般のカラーテレビジョン受像機等に使用されているカラー陰極線管は、図７に示すように、略矩形状を呈するフェースパネル６１と、このフェースパネル６１に一体的に接合された漏斗状のファンネル６２からなる外囲器を有し、そのフェースパネル６１の内面に、青、緑、赤に発光するストライプ状の３色蛍光体層からなる蛍光体スクリーン６３が形成され、この蛍光体スクリーン６３に対向して、その内側に多数のアパーチャの形成されたシャドウマスク６４が、マスクフレーム６５を介して装着されている。
【０００３】
一方、ファンネル６２のネック６６内には、３電子ビーム６７Ｂ，６７Ｇ，６７Ｒを放出する水平方向に一列に配列されたインライン型の電子銃６８が配設され、この電子銃６８から放出される３電子ビーム６７Ｂ，６７Ｇ，６７Ｒを、ファンネル６２の外側に装着された偏向ヨーク６９の発生する水平及び垂直偏向磁界によって偏向し、シャドウマスク６４を介して蛍光体スクリーン６３を水平、垂直走査することによって、蛍光体スクリーン６３上にカラー画像を表示するように構成されている。
【０００４】
このようなカラー陰極線管においては、特に電子銃６８が同一水平面上を通るセンタービーム６７Ｇ、及びその両側の一対のサイドビーム６７Ｂ，６７Ｒを放出するインライン型の電子銃６８として構成され、電子銃６８の主レンズ部分の低圧側と高圧側のグリッド電極のサイドビーム通過孔の位置を偏心させることによって、蛍光体スクリーン６３中央において３本の電子ビーム６７Ｂ，６７Ｇ，６７Ｒを集中させ、偏向ヨーク６９の発生する水平偏向磁界をピンクッション形に、また垂直偏向磁界をバレル形に構成することで、セルフコンバーゼンス方式のカラー陰極線管を構成している。
【０００５】
この電子銃６８は、水平方向に一列配置された３本のカソードＫと、このカソードＫを加熱するヒータ（図示せず）及びカソードＫから電子ビーム６７Ｂ，６７Ｇ，６７Ｒの進行方向に順次配置された第１グリッド電極乃至第６グリッド電極からなる複数個のグリッド電極Ｇ１〜Ｇ６、並びに第６グリッド電極Ｇ６に固着されたコンバーゼンスカップＣを有し、これら各グリッド電極Ｇ１〜Ｇ６は、ビードガラスからなる一対の絶縁支持体７０によって所定の間隔で支持固定されており、これら各グリッド電極Ｇ１〜Ｇ６によって電子ビーム６７Ｂ，６７Ｇ，６７Ｒを蛍光体スクリーン６３上に集束する主レンズを含む複数の電子レンズが形成されている。
【０００６】
このような構成の電子銃６８を組立てる場合には、図８に簡略化して示すような電子銃の組立装置が用いられている。
【０００７】
即ち、電子銃の組立装置は、大別すると、下基準台７１と、この下基準台７１に係合する上基準台７２、及び加圧機構７３から構成されている。（例えば、特許文献１参照。）。
【０００８】
この下基準台７１は、基台７４上に設けた位置補正用ライナー７６にグリッド電極に一列配置となるように穿設された３個の電子ビーム通過孔が嵌合する３個の多段断面形状の棒状の位置決め芯棒７５が一列配置として植設されており、これら位置決め芯棒７５の配列方向の両側に設けられた一対の案内軸７７から構成されている。
【０００９】
これに対して上基準台７２は、下基準台７１の一対の案内軸７７に係合する開孔が設けられた基台７８を有し、この基台７８には位置決め芯棒７５と同軸に配置される３個のカソード位置決め芯棒７９が軸方向に移動可能に設けられ、下基準台７１の各位置決め芯棒７５と上基準台７２の各カソード位置決め芯棒７９とは、下基準台７１に上基準台７２を係合したときに、カソード位置決め芯棒７９が位置決め芯棒７５の先端部と同軸に係合するようになされている。
【００１０】
また、加圧機構７３は、カソード位置決め芯棒７９の周りに配置された３個のコイルバネからなる弾性体８０と、上基準台７２の基台７８上に立設された一対の案内柱８１に摺動自在に取付けられたスライダー８２と、このスライダー８２上に配置された錘８３から構成され、下基準台７１の基台７４上に設置された位置補正用ライナー７６方向に加圧するように作用する。
【００１１】
このような電子銃の組立装置を使用して電子銃６８を組立てる場合には、図９に示すように、位置決め芯棒７５に、まず第６グリッド電極Ｇ６を挿入し、次いで電極相互間の間隔を所定値に設定するための平板状のスペーサ８４ａを挿入し、その後に第５グリッド電極Ｇ５を挿入してスペーサ８４ｂを挿入するようにして、各グリッド電極Ｇ１〜Ｇ６とカソードホルダー８５間にスペーサ８４ａ〜８４ｆを夫々交互にサンドイッチ状に介在させて、所定の間隔を保持しながら相互の位置関係が得られるように位置決め芯棒７５，７９外周に積層配置される。
【００１２】
その後、加圧機構７３によって基台７４方向に押圧力を加えることで、カソードホルダー８５と各グリッド電極Ｇ１〜Ｇ６間の間隔をスペーサ８４ａ〜８４ｆによって所定値に設定した状態で、１２００〜１３５０℃の高温で加熱軟化されたガラス材からなる絶縁支持体７０をカソードホルダー８５及び各グリッド電極Ｇ１〜Ｇ６側面に設けた各植設部８６に埋め込んでカソードホルダー８５と各グリッド電極Ｇ１〜Ｇ６を一体化する。
【００１３】
そして、絶縁支持体７０が冷却固化した後に電子銃６８を組立装置から取り外し、各スペーサ８４ａ〜８４ｆをカソードホルダー８５及びグリッド電極Ｇ１〜Ｇ６間から取り去ることで、カソードＫ及び各グリッド電極Ｇ１〜Ｇ６が所定の位置関係に規定された電子銃６８として得ることができる。
【００１４】
このように構成された電子銃６８のうち、三極部を構成する第１乃至第３グリッド電極Ｇ１〜Ｇ３の第３グリッド電極Ｇ３に高い電圧を印加する構成の電子銃６８においては、カラー陰極線管の耐電圧特性を向上させるために、図１０に示すように、第２グリッド電極Ｇ２の外径をＧ２Ｌ、内径をＧ２ｌとしたカップ状のグリッド電極Ｇ２として構成し、また第３グリッド電極Ｇ３を多段のカップ状のグリッド電極Ｇ３として構成し、この第３グリッド電極Ｇ３の先端を第２グリッド電極Ｇ２内に位置するように構成している。
【００１５】
この第２グリッド電極Ｇ２は、第１グリッド電極Ｇ１側に電子ビーム通過孔８７を有するカップ部８８の底面側が位置するように配置され、このカップ部８８に絶縁支持体７０に埋設される板状の植設部８９が固着されている。これに対してカップ状の第３グリッド電極Ｇ３は、夫々の底面が離間する方向に配置され、夫々に電子ビーム通過孔９０，９１を有する一対のカップ部９２，９３を突合せて固着形成されており、このカップ部９２，９３の突合せ面を延長して植設部９４が形成されている。
【００１６】
この第３グリッド電極Ｇ３の第２グリッド電極Ｇ２側のカップ部９３は、第２グリッド電極Ｇ２の内径Ｇ２ｌと略等しい外径Ｇ３Ｌを有する第１のカップ部９３ａと、この外径Ｇ３Ｌよりも径小な外径Ｇ３ｌを有する第２のカップ部９３ｂからなる一体多段構造によって構成され、第２のカップ部９３ｂが第２グリッド電極Ｇ２内に位置するように配置されている。
【００１７】
従って、三極部を高精度に組立てるためには、第２グリッド電極Ｇ２と第３グリッド電極Ｇ３との間隔を精密に設定する必要があり、このため第２グリッド電極Ｇ２と第３グリッド電極Ｇ３間の間隔を規制するためのスペーサ８４ｄは、第２グリッド電極Ｇ２の電子ビーム通過孔８７が穿設されたカップ部８８底面内壁面と第３グリッド電極Ｇ３の電子ビーム通過孔９１が穿設された第２のカップ部９３ｂの底面外壁面間に介在させることが、高精度に成形された電子ビーム通過孔８７，９１を有するカップ部８８，９３ｂの底面部分を利用できるので理想的である。
【００１８】
しかしながら、実際問題として、第２グリッド電極Ｇ２がカップ状に成形され、しかも、このカップ部８８内に第３グリッド電極Ｇ３のカップ部９３が内在配置される構成を採るために、スペーサ８４ｄを介在させて位置規制をしたとしても、電子銃６８組立後にスペーサ８４ｄを両カップ部８８、９３ｂ間から取外すことが極めて難しく、実際の量産工程においては採用することが事実上不可能な状態にある。
【００１９】
そこで、実際に電子銃６８を組立てる場合には、図１１に示すように、第２グリッド電極Ｇ２のカップ部８８の第３グリッド電極Ｇ３側外側部分と第３グリッド電極Ｇ３の第１のカップ部９３ａの第２グリッド電極Ｇ２側外側部分間にスペーサ８４ｄを介在させることで、両グリッド電極Ｇ２，Ｇ３間の位置規制を行っている。
【００２０】
即ち、スペーサ８４ｄには、第３グリッド電極Ｇ３の第２のカップ部９３ｂを挿通させる透孔９５を形成し、且つ、この透孔９５部分で相互に当接するように２分割可能なように構成する。そして、このスペーサ８４ｄの板厚を第２グリッド電極Ｇ２と第３グリッド電極Ｇ３間の所定の電極間間隔が得られるような値に設定している。
【００２１】
【特許文献１】
特開平５−３４２９８７号公報（第２頁第２欄、図４）
【００２２】
【発明が解決しようとする課題】
このように構成された電子銃６８においては、第２グリッド電極Ｇ２の板厚をＧ２ｔ、カップ部８８の高さ（深さ）をＧ２Ｈとし、第２グリッド電極Ｇ２のカップ部８８の底面内壁面と第３グリッド電極Ｇ３の第２のカップ部Ｇ３ｂの底面外壁面間の間隔をＧ２ｈとしたとき、第２グリッド電極Ｇ２と第３グリッド電極Ｇ３との間隔Ｇ２ｈは、
Ｇ２Ｈ＞Ｇ２ｔ＋Ｇ２ｈ
を満足させるような関係に設定される。
【００２３】
従って、この関係を満足させるために、スペーサ８４ｄを第２グリッド電極Ｇ２の開口部端部と第３グリッド電極Ｇ３の第１のカップ部９３ａ肩部間に配置することで、第２グリッド電極Ｇ２と第３グリッド電極Ｇ３とを所定の間隔Ｇ２ｈとなるように規制することが可能となる。
【００２４】
しかしながら、第２グリッド電極Ｇ２及び第３グリッド電極Ｇ３ともに、電子ビーム通過孔８７，９１を有するカップ部８８，９３ｂ面については、電子ビーム通過孔８７，９１周辺部分では誤差０．０１〜０．００６程度の極めて高い精度で成形されているが、スペーサ８４ｄが当接する第２グリッド電極Ｇ２のカップ部８８開口部分側端面及び第３グリッド電極Ｇ３の第１のカップ部９３ａの肩部については、誤差０．０５程度と電子ビーム通過孔８７，９１を有する周辺面部分よりも成形精度が大幅に劣化している状態にある。
【００２５】
このために、電子銃６８の三極部は微細な寸法で形成され、且つ、高い組立精度が要求されているにも拘わらず、電極成形精度が劣る電極構成部位によってしかスペーサ８４ｄによる位置規制が実施できないために、第２グリッド電極Ｇ２と第１グリッド電極Ｇ１間、あるいは第２グリッド電極Ｇ２と第３グリッド電極Ｇ３間の電子ビーム通過孔８７，９１間での傾きや変形が発生することになる。この第２グリッド電極Ｇ２のカップ部８８の高さＧ２Ｈは、現行の加工精度では±０．０３ｍｍ程度の誤差が発生しており、このために、このカップ部８８開口部端面をスペーサ８４ｄの基準面とした場合には、第２グリッド電極Ｇ２のみが傾いて装着されたと仮定すると、この誤差によって第２グリッド電極Ｇ２が±０．０９°傾いて装着されることになる。
【００２６】
その結果、第２グリッド電極Ｇ２から主電子レンズ中心までの距離を３０ｍｍに想定すると、第２グリッド電極Ｇ２が±０．０９°傾いて装着された場合、第３グリッド電極Ｇ３には電子ビーム６７Ｂ，６７Ｇ，６７Ｒが第２グリッド電極Ｇ２の傾きと略同じように±０．０９°傾いた状態で入射されることになる。一般に電子銃６８の主電子レンズの開孔部φの成形精度が２９インチクラスでφ±０．０１程度となっているのに対して、±０．０９°の傾きが発生した場合には、電子ビーム６７Ｂ，６７Ｇ，６７Ｒは最大約±０．０５ｍｍ（ｔａｎ０．０９°×３０）だけ偏向されてしまうことになり、約５倍の誤差偏向量となって電子ビーム６７Ｂ，６７Ｇ，６７Ｒの軌道に大きな影響を与え、これによりフォーカス特性及びランディング性能を大幅に劣化させてしまうという問題があった。
【００２７】
本発明は、このような課題に対処してなされたものであり、組立精度が良好でフォーカス特性等を改善した陰極線管、陰極線管用電子銃及び電子銃の組立方法を提供することを目的とする。
【００２８】
【課題を解決するための手段】
本発明は、略矩形状のフェースパネルと、このフェースパネルに連接する漏斗状のファンネルと、フェースパネル内面に形成された蛍光体スクリーンと、ファンネルのネック内に配置され電子ビームを形成及び蛍光体スクリーン上に集束させる少なくとも第１乃至第３グリッド電極からなる三極部を含む複数のグリッド電極を備えた電子銃とを有する陰極線管において、三極部を構成する第２及び第３グリッド電極をカップ状の電極として構成し、この第２グリッド電極を電子ビーム通過孔を有する板状のグリッド電極部材及びカップ状のグリッド電極部材にて構成し、このカップ状のグリッド電極部材の開口部側が第３グリッド電極側に位置するように両グリッド電極部材同士を固着した陰極線管である。
【００２９】
また、第１乃至第３グリッド電極からなる三極部を含む複数のグリッド電極の植設部を対向する一対のガラス材によって形成された長方形状の絶縁支持体に埋設することによって支持した陰極線管用電子銃において、第２グリッド電極を電子ビーム通過孔及び植設部を有する板状のグリッド電極部材とカップ状のグリッド電極部材にて構成し、このカップ状のグリッド電極部材の開口部側が第３グリッド電極側に位置するように両グリッド電極部材同士を固着した陰極線管用電子銃である。
【００３０】
更に、基台に植設された複数の位置決め芯棒を備える電子銃組立装置の位置決め芯棒に少なくとも第１乃至第３グリッド電極からなる三極部を含む植設部を有する複数のグリッド電極の電子ビーム通過孔を挿通させるとともに、このグリッド電極間に複数のスペーサを介在させて順次グリッド電極とスペーサとを積層して装着し、グリッド電極の植設部を加熱軟化された一対の絶縁支持体に埋設固定して一体化した後に、電子銃組立装置から離脱させてスペーサを抜き取ることにより電子銃を製造する電子銃の組立方法において、三極部を構成する第２グリッド電極を相互に分離された植設部及び電子ビーム通過孔を有する板状のグリッド電極部材とカップ状のグリッド電極部材から構成し、この両グリッド電極部材間にスペーサを配置して板状のグリッド電極部材の植設部を絶縁支持体に埋設し、前記スペーサを除去した後にカップ状のグリッド電極部材を板状の電極部材側に移動させて両グリッド電極部材同士を固着させるようにした電子銃の組立方法である。
【００３１】
このように陰極線管及び電子銃を構成し、あるいは電子銃の組立方法を採ることによって、電子銃の組立精度が良好でフォーカス特性やランディング性能等を改善した陰極線管及び陰極線管用電子銃を得ることができる。
【００３２】
【発明の実施の形態】
以下、本発明の実施の形態について、図面を参照して詳細に説明する。
【００３３】
まず、本発明の一実施形態であるカラー陰極線管は、図１に示すように、略矩形状を呈するフェースパネル１１と、このフェースパネル１１に一体的に接合された漏斗状のファンネル１２からなる外囲器を有し、そのフェースパネル１１の内面に、青、緑、赤に発光するストライプ状の３色蛍光体層からなる蛍光体スクリーン１３が形成され、この蛍光体スクリーン１３に対向して、その内側に多数のアパーチャの形成されたシャドウマスク１４がマスクフレーム（図示せず）を介して装着され、更に、ファンネル１２の内壁面には、アノードボタン（図示せず）と電気的に接続された内部導電膜１５が設けられている。
【００３４】
一方、ファンネル１２のネック１６内には、３電子ビーム１７Ｂ，１７Ｇ，１７Ｒを放出する水平方向に一列に配列されたインライン型の電子銃１８が配設され、この電子銃１８から放出される３電子ビーム１７Ｂ，１７Ｇ，１７Ｒを、ファンネル１２の外側に装着された偏向ヨーク１９の発生する水平及び垂直偏向磁界によって偏向し、シャドウマスク１４を介して蛍光体スクリーン１３を水平、垂直走査することによって、蛍光体スクリーン１３上にカラー画像を表示するように構成されている。
【００３５】
このカラー陰極線管においては、特に電子銃１８が同一水平面上を通るセンタービーム１７Ｇ、及びその両側の一対のサイドビーム１７Ｂ，１７Ｒを放出するインライン型の電子銃１８として構成し、電子銃１８の主レンズ部分の低圧側と高圧側の電極のサイドビーム通過孔の位置を偏心させることによって、蛍光体スクリーン１３中央において３本の電子ビーム１７Ｂ，１７Ｇ，１７Ｒを集中させ、偏向ヨーク１９の発生する水平偏向磁界をピンクッション形に、また垂直偏向磁界をバレル形に構成することで、セルフコンバーゼンス方式のカラー陰極線管として構成している。
【００３６】
この電子銃１８は、水平方向に一列配置された３本のカソードＫと、このカソードＫを加熱するヒータＨ及びカソードＫから電子ビーム１７Ｂ，１７Ｇ，１７Ｒの進行方向に順次配置された板状の第１グリッド電極乃至カップ状の第６グリッド電極からなる複数個のグリッド電極Ｇ１〜Ｇ６、並びに第６グリッド電極Ｇ６に取着されたコンバーゼンスカップＣを有し、更に、このコンバーゼンスカップＣには、内部導電膜１５と弾性的に接触する複数の導電性接触片２０が取着されている。これら各グリッド電極Ｇ１〜Ｇ６は、ビードガラスからなる一対の絶縁支持体２１によって所定の間隔で支持固定されており、これら各グリッド電極Ｇ１〜Ｇ６によって、電子ビーム１７Ｂ，１７Ｇ，１７Ｒを蛍光体スクリーン１３上に集束する主レンズを含む複数の電子レンズが形成されている。
【００３７】
この各グリッド電極Ｇ１〜Ｇ６は、第１グリッド電極Ｇ１が板状のグリッド電極部材によって形成され、第２グリッド電極Ｇ２は、図２に示すように、中央部分に並設された３個の電子ビーム通過孔（図２では１個のみを示す）２２、及び両端に絶縁支持体２１に埋設固定するための植設部２３を有する板状のグリッド電極部材２４と、このグリッド電極部材２４に固着され底面に電子ビーム通過孔２５を穿設した外径がＧ２Ｌのカップ状のグリッド電極部材２６から構成され、このカップ状の電極部材２６の開口部側が第３グリッド電極Ｇ３側となるように一体に固着されて配置されている。
【００３８】
また、第３グリッド電極Ｇ３は、夫々の底面が離間する方向に配置された夫々電子ビーム通過孔２７，２８を有する一対のカップ部２９，３０を突合せて固着形成されており、このカップ部２９，３０の突合せ面を延長して植設部３１が形成されている。
【００３９】
この第３グリッド電極Ｇ３の第２グリッド電極Ｇ２側のカップ部２９は、第２グリッド電極Ｇ２の内径Ｇ２ｌと略等しい外径Ｇ３Ｌを有する第１のカップ部２９ａと、この外径Ｇ３Ｌよりも径小な外径Ｇ３ｌを有する第２のカップ部２９ｂからなる一体多段構造によって構成されており、第２のカップ部２９ｂ先端部分が第２グリッド電極Ｇ２のカップ状のグリッド電極部材２６内に位置するように配置されている。
【００４０】
そして、第４グリッド電極Ｇ４乃至第６グリッド電極Ｇ６は、いずれもカップ状のグリッド電極構成を採っている。
【００４１】
このような構成の電子銃１８を組立てる場合には、従来と同様に図８に示したような電子銃の組立装置を用いて組立てを行っているので、同じ構成部分については同じ符号を付すことで、組立装置自体の詳細な説明は省略する。
【００４２】
この電子銃の組立装置を使用して電子銃１８を組立てるには、図３に示すように、下基準台７１に設けた３個の位置決め芯棒７５に複数個のグリッド電極Ｇ１〜Ｇ６の電子ビーム通過孔（図２の２２，２５，２７，２８等）を、第６グリッド電極Ｇ６が下基準台７１側となるように嵌合して、以下順次スペーサ３２ａ〜３２ｅを介在させながら第５グリッド電極Ｇ５〜第１グリッド電極Ｇ１の順に交互に積層嵌合して位置補正用ライナー７６上に配置する。
【００４３】
このとき、第２グリッド電極Ｇ２は、図４に示すように、板状のグリッド電極部材２４とカップ状のグリッド電極部材２６とを分離した状態とし、このカップ状のグリッド電極部材２６を第３グリッド電極Ｇ３の第２のカップ部２９ｂ上に当接させて積層することで、カップ状のグリッド電極部材２６と板状のグリッド電極部材２４との間に間隙を形成し、この間隙中にスペーサ３２ｄが介在されるようにする。
【００４４】
換言すれば、第３グリッド電極Ｇ３の上には直接スペーサ３２ｄを配置しないで、第２グリッド電極Ｇ２のカップ状のグリッド電極部材２６を配置し、その後にスペーサ３２ｄを積層し、そして第２グリッド電極Ｇ２の板状のグリッド電極部材２４を積み重ねていくようにしている。そして更に、第２グリッド電極Ｇ２の板状のグリッド電極部材２４上にスペーサ３２ｅを重ねて第１グリッド電極Ｇ１を配置し、この第１グリッド電極Ｇ１上にスペーサ３２ｆを配置するとともに、上基準台７２のカソード位置決め芯棒７９には、カソードホルダー３３が組込まれる。
【００４５】
この位置決め芯棒７５は、基台７４側に第６グリッド電極Ｇ６が位置し、反対側に第１グリッド電極Ｇ１側が配置されるように、各グリッド電極Ｇ１〜Ｇ６が各グリッド電極Ｇ１〜Ｇ６の電子ビーム通過孔を介して位置決め芯棒７５に挿入されるために、位置決め芯棒７５は、基台７４側が第３グリッド電極Ｇ３の一方乃至第６グリッド電極Ｇ６の電子ビーム通過孔２８に合わせて最も太く、中間部の第３グリッド電極Ｇ３の他方及び第２グリッド電極Ｇ２のカップ状のグリッド電極部材２６の電子ビーム通過孔２５，２７に合わせて中太に、そして、先端側の第１及び第２グリッド電極Ｇ１，Ｇ２の電子ビーム通過孔２２に合わせて細くなるように、夫々位置決め芯棒７５の外周径が定められている。
【００４６】
従って、後述するように、各グリッド電極Ｇ１〜Ｇ６を絶縁支持体２１によって一体化した後に、これを位置決め芯棒７５から基台７４と反対方向に引上げることで、位置決め芯棒７５から各スペーサ３２ａ〜３２ｆを介在させた状態で電子銃１８を取外すことができるように構成されている。
【００４７】
また、この３本の位置決め芯棒７５は、中心に位置する位置決め芯棒７５で主としてグリッド電極Ｇ１〜Ｇ６の水平方向（Ｘ方向）の位置を規制しており、両側の２本の位置決め芯棒７５では、垂直方向（Ｙ方向）もしくはＹ方向に対して４５°方向の位置を規制しているものであり、これら位置決め芯棒７５は、複雑な形状の各グリッド電極Ｇ１〜Ｇ６の電子ビーム通過孔内を貫通して、しかも各グリッド電極Ｇ１〜Ｇ６を共通に位置決め保持するために、各グリッド電極Ｇ１〜Ｇ６の電子ビーム通過孔形状、電子ビーム通過孔径、電子ビーム通過孔ピッチに略対応させた多段断面形状をしている。
【００４８】
次いで、上基準台７２の基台７８を、スペーサ３２ａ〜３２ｆ及び各グリッド電極Ｇ１〜Ｇ６が組込まれた下基準台７１の一対の案内軸７７に係合し、カソード位置決め芯棒７９を各位置決め芯棒７５の先端部と係合させて、カソード位置決め芯棒７９と位置決め芯棒７５とを同軸に配置する。そして、上基準台７２上に設けられた加圧機構７３によって、カソード位置決め芯棒７９に組込まれたカソードホルダー３３及び位置決め芯棒７５に組込まれた各グリッド電極Ｇ１〜Ｇ６及びスペーサ３２ａ〜３２ｆを位置補正用ライナー７６方向に加圧する。
【００４９】
その後、上下基準台７１，７２に組込まれたカソードホルダー３３及び各グリッド電極Ｇ１〜Ｇ６に、１２００〜１３５０℃に加熱されて軟化した一対のガラス材からなる絶縁支持体２１を溶着する。この絶縁支持体２１が冷却固化した後に上下基準台７１，７２を分離して、一対の絶縁支持体２１により一体に固定されたカソードホルダー３３及びグリッド電極Ｇ１〜Ｇ６をスペーサ３２ａ〜３２ｆとともに取出し、そして、各スペーサ３２ａ〜３２ｆを各グリッド電極Ｇ１〜Ｇ６間から抜き去っている。
【００５０】
その後、分離されていた第２グリッド電極Ｇ２のカップ状のグリッド電極部材２６を絶縁支持体２１に固定されている板状のグリッド電極部材２４側に移動させて、両者の電子ビーム通過孔２２，２５を合致させながら当接させて、溶接等の方法で両者を固着させることにより電子銃１８を組立ている。
【００５１】
このように、第２グリッド電極Ｇ２を板状のグリッド電極部材２４とカップ状のグリッド電極部材２６とで構成し、組立時にカップ状のグリッド電極部材２６のカップ底面の内面を第３グリッド電極Ｇ３の第２のカップ部２９ｂの底面外側面と密着させるように重ね合わせ、この重ね合わされたカップ状のグリッド電極部材２６のカップ底面外側面と板状のグリッド電極部材２４間にスペーサ３２ｄを介在させるようにしている。
【００５２】
そして、第３グリッド電極Ｇ３の第２のカップ部２９ｂの高さ（深さ）をＧ３Ｈとしたときに、
Ｇ３ｌ＜Ｇ２ｌ
Ｇ３Ｈ＞Ｇ２Ｈ
の関係に設定し、更に、スペーサ３２ｄが挿入される板状及びカップ状のグリッド電極部材２４，２６間の間隙をＧ２ｈ、板状及びカップ状のグリッド電極部材２４，２６の夫々の板厚を同じＧ２ｔとしたときに、
Ｇ２Ｈ＞Ｇ２ｈ＋Ｇ２ｔ
の関係を満足するように設定されている。
【００５３】
従って、第２グリッド電極Ｇ２と第３グリッド電極Ｇ３間の電極間間隔Ｇ２ｈは、スペーサ３２ｄを取り除いてカップ状のグリッド電極部材２６を板状のグリッド電極部材２４側に移動させた場合においても、スペーサ３２ｄが挿入される間隔Ｇ２ｈと変わることなく、同じ間隔Ｇ２ｈを保持することになる。
【００５４】
このように、板状及びカップ状のグリッド電極部材２４，２６の高精度に成形された電子ビーム通過孔２２，２５周辺の平坦面部分を利用して、スペーサ３２ｄによって位置規制することが可能となる。
【００５５】
従って、各グリッド電極Ｇ１〜Ｇ６を絶縁支持体２１に固定し、各スペーサ３２ａ〜３２ｆを取り除いた後に、カップ状のグリッド電極部材２６を板状のグリッド電極部材２４と当接させて固着させれば、第２グリッド電極Ｇ２と第３グリッド電極Ｇ３間の間隔Ｇ２ｈを、第２グリッド電極Ｇ２に傾きを生じることなく高精度に設定することができる。
【００５６】
この結果、第１グリッド電極Ｇ１と第２グリッド電極Ｇ２間、及び第２グリッド電極Ｇ２と第３グリッド電極Ｇ３間の三極部で、最も高精度に成形されている電子ビーム通過孔２２，２５，２７の周辺平坦面を基準面として組立てることが可能となり、第２グリッド電極Ｇ２の傾きによって発生していた電子ビーム１７Ｂ，１７Ｇ，１７Ｒの不要な偏向動作を抑制できるので、カラー陰極線管及び電子銃としてのフォーカス特性やランディング性能をより一層向上させることができる。
【００５７】
また、この実施形態の場合には、第３グリッド電極Ｇ３の第２のカップ部２９ｂ上に第２グリッド電極Ｇ２のカップ状のグリッド電極部材２６を積層させた構成としているが、第３グリッド電極Ｇ３の第２のカップ部２９ｂと第２グリッド電極Ｇ２の板状のグリッド電極部材２４間にスペーサ３２ｄを配置するように構成することも可能である。
【００５８】
即ち、図５に示すように、第２グリッド電極Ｇ２のカップ状のグリッド電極部材２６に穿設されている電子ビーム通過孔２５の孔径φ２５を第３グリッド電極Ｇ３の第２のカップ部２９ｂの外径Ｇ３ｌよりも大きく形成し、第２のカップ部２９ｂがカップ状のグリッド電極部材２６と嵌合するように構成する。また、第３グリッド電極Ｇ３の第２のカップ部２９ｂの高さＧ３Ｈをカップ状のグリッド電極部材２６の高さＧ２Ｈよりも大きく、もしくは同じ高さとなるように構成する。
【００５９】
これらの関係は、次のようになる。
【００６０】
Ｇ２ｌ＞φ２５＞Ｇ３ｌ
Ｇ３Ｈ≧Ｇ２Ｈ
このように構成することによって、第２のカップ部２９ｂのカップ底面の外側面がカップ状のグリッド電極部材２６底面よりも突出して、板状のグリッド電極部材２４側に露呈することになる。この露呈された第３グリッド電極Ｇ３の第２のカップ部２９ｂ底面外側面と板状のグリッド電極部材２４間にスペーサ３２ｄを配置するように構成する。そして、板状のグリッド電極部材２４及び第３グリッド電極Ｇ３が絶縁支持体２１に固定された後にスペーサ３２ｄを取り除き、その後、カップ状のグリッド電極部材２６を板状のグリッド電極部材２４に当接させて溶着することにより、板状及びカップ状のグリッド電極部材２４，２６が一体化された第２グリッド電極Ｇ２とするものである。
【００６１】
このように構成することによって、前述の実施形態の場合と同様の効果を発揮することができるばかりでなく、絶縁支持体２１に直接固定される板状のグリッド電極部材２４と第３グリッド電極Ｇ３の第２のカップ部２９ｂ間にカップ状のグリッド電極部材２６を介在させることなく直接スペーサ３２ｄを介在させているので、第２グリッド電極Ｇ２と第３グリッド電極Ｇ３間の電極間間隔Ｇ２ｈを設定する際に、移動可能なカップ状のグリッド電極部材２６が介在しないために、その分だけ設定精度を更に向上させることが可能となり、三極部の組立精度をより一層高めることが可能となる。
【００６２】
この場合に、第２グリッド電極Ｇ２のカップ状のグリッド電極部材２６を板状のグリッド電極部材２４に固着させる際に、径大な孔径φ２５を有する電子ビーム通過孔２５をカップ状のグリッド電極部材２６のカップ底面に穿設しているために、このカップ状のグリッド電極部材２６を板状のグリッド電極部材２４の所定の位置に固着する際の位置決めが多少とも難しくなるが、図６に示すように、板状のグリッド電極部材２４の取付位置にガイド部３４を形成しておくことにより、容易に位置決め固定することが可能となる。
【００６３】
即ち、板状のグリッド電極部材２４の電子ビーム通過孔２２周辺の所定位置に、カップ状のグリッド電極部材２６の電子ビーム通過孔２５の孔径φ２５と略同じ、もしくは若干大きめの外径φ２５´を有する第３グリッド電極Ｇ３側に突出し、且つ、カップ状のグリッド電極部材２６の板厚Ｇ２ｔと略同じ高さＧ２ｔ´の環状のガイド部３４を絞り出し加工、もしくはプレス加工等によって形成する。
【００６４】
このように構成することにより、カップ状のグリッド電極部材２６を板状のグリッド電極部材２４側に移動させて、カップ状のグリッド電極部材２６の電子ビーム通過孔２５をガイド部３４に嵌合させることによって、カップ状のグリッド電極部材２６を板状のグリッド電極部材２４の所定位置に正確に位置決めすることができ、この状態で両者を溶着させれば、高精度に位置設定することが可能となる。しかも、ガイド部３４の高さＧ２ｔ´をカップ状のグリッド電極部材２６の板厚Ｇ２ｔと同じ高さとすることで、電子ビーム１７Ｂ，１７Ｇ，１７Ｒに与える影響を最小限に抑えることが可能となる。
【００６５】
このガイド部３４は、環状に形成するばかりでなく、カップ状のグリッド電極部材２６が所定位置に設定できるような複数の突条によって形成することも可能である。
【００６６】
また、図中破線にて示すように、板状のグリッド電極部材２４に電子ビーム通過孔２５側が板状のグリッド電極部材２４と連接されたコ字状の切込みを設けて、これを図中矢印の方向に切り起こすことにより複数の舌片を形成し、この舌片をガイド部３４として構成するようにすることも可能である。
【００６７】
このように、板状のグリッド電極部材２４にガイド部３４を形成することにより、このガイド部３４を利用してカップ状のグリッド電極部材２６の位置決めを行うことにより、第２グリッド電極Ｇ２の組立精度を更に向上させることができる。
【００６８】
なお、本発明は、上記に説明した実施の形態に限定されることなく、例えば電子銃自体の構成を第４グリッド電極以上のグリッド電極構成となる電子銃であれば、インライン型以外のその他のカラー陰極線管、あるいは白黒用の陰極線管にも適用が可能であり、また、組立装置においても、その他の構成のものを使用することも可能であり、その他にも種々の応用や変形が可能なことは言うまでもない。
【００６９】
【発明の効果】
以上のように本発明によれば、電子銃を組立てる際に発生する第２グリッド電極等の組立位置変動や傾き変形を防止することが可能となり、このために、組立精度の優れた電子銃とすることが可能で、フォーカス特性やランディング性能をより一層改善させた陰極線管、陰極線管用電子銃及び電子銃の組立方法を得ることができる。
【図面の簡単な説明】
【図１】本発明の陰極線管の一実施形態を示す断面図。
【図２】同じく陰極線管の電子銃を構体する第２及び第３グリッド電極の構成を示す断面図。
【図３】同じく電子銃の各電極をスペーサを介して組立装置に装着した状態を示す説明図。
【図４】同じく第２及び第３グリッド電極の組立前の状態を説明するための断面図。
【図５】同じく第２及び第３グリッド電極の他の構成を説明するための断面図。
【図６】同じく第２及び第３グリッド電極の更に他の構成を説明するための断面図。
【図７】従来のカラー陰極線管を示す断面図。
【図８】同じく電子銃を組立てる際に使用される組立装置を示す説明図。
【図９】同じく電子銃の各電極をスペーサを介して組立装置に装着した状態を示す説明図。
【図１０】同じく第２及び第３グリッド電極の理論的な組立状態を説明するための断面図。
【図１１】同じく第２及び第３グリッド電極の実際に組立てる際の組立状態を説明するための断面図。
【符号の説明】
１１：フェースパネル
１２：ファンネル
１３：蛍光体スクリーン
１６：ネック
１７Ｂ，１７Ｇ，１７Ｒ：電子ビーム
１８：電子銃
２１：絶縁支持体
２２：電子ビーム通過孔
２３：植設部
２４：板状のグリッド電極部材
２５：電子ビーム通過孔
２６：カップ状のグリッド電極部材
２９：カップ部
２９ａ：第１のカップ部
２９ｂ：第２のカップ部
３１：植設部
３２ａ〜３２ｆ：スペーサ
３４：ガイド部
７４：基台
７５：位置決め芯棒
７９：位置決め芯棒
Ｇ１：第１グリッド電極
Ｇ２：第２グリッド電極
Ｇ３：第３グリッド電極
Ｇ４：第４グリッド電極
Ｇ５：第５グリッド電極
Ｇ６：第６グリッド電極
【図１】
2004259620.tif 000003
【図２】
2004259620.tif 000004
【図３】
2004259620.tif 000005
【図４】
2004259620.tif 000006
【図５】
2004259620.tif 000007
【図６】
2004259620.tif 000008
【図７】
2004259620.tif 000009
【図８】
2004259620.tif 000010
【図９】
2004259620.tif 000011
【図１０】
2004259620.tif 000012
【図１１】
2004259620.tif 000013